(57)【要約】【課題】塵芥収集車１００の塵芥投入口４の近傍をカメラ７によって撮影し、画像処理によって危険なエリアに人物Ｈが居ると判定したときに、より確実に塵芥積込装置の作動を停止させる。【解決手段】本発明に係る塵芥収集車１００は、塵芥積込装置が塵芥の積込作動をしているときに、通電ラインＫ３によって通電される制御装置ＰＬＣを装備している。そして、通電ラインＫ３に介設された画像処理ユニット８は、カメラ７からの画像データに基づいて危険なエリアに人物Ｈが居ると判定したときに、制御装置ＰＬＣへの通電を遮断する通電遮断部（中央処理部ＣＰＵ、リレースイッチＳＷ４）を備えている。【選択図】図４
2018154463.tif 000002
【特許請求の範囲】
【請求項１】
塵芥収集車の塵芥投入口近傍をカメラによって撮影し、その画像のデータを入力した画像処理装置によって、前記塵芥投入口近傍の所定エリアに人物が居ると判定すれば、塵芥積込装置の作動を停止させるようにした塵芥収集車の緊急停止装置であって、
塵芥収集車には、前記塵芥積込装置の作動制御を行う制御装置が装備され、この制御装置は、前記塵芥積込装置が塵芥の積込作動をしているときに、所定の通電ラインによって通電されるとともに、当該通電が遮断されると塵芥積込装置を停止させるように構成され、
前記画像処理装置が前記通電ラインに介設されていて、前記所定エリアに人物が居ると判定したときに前記制御装置への通電を遮断する通電遮断部を備えていることを特徴とする塵芥収集車の緊急停止装置。
【請求項２】
前記通電遮断部は、前記通電ラインに介設されたスイッチと、前記所定エリアに人物が居ると判定したときに、前記スイッチを開放して通電を遮断する遮断制御部と、からなる、請求項１に記載の塵芥収集車の緊急停止装置。
【請求項３】
前記塵芥投入口近傍に緊急停止ボタンが配設され、
前記通電ラインには、前記緊急停止ボタンの操作に応じて開閉されるスイッチが介設されている、請求項１または２のいずれかに記載の塵芥収集車の緊急停止装置。
【請求項４】
前記塵芥積込装置が、背面に前記塵芥投入口の開口する塵芥投入箱の内部に装備されており、
前記カメラが、前記塵芥投入口の上方において塵芥投入箱の背面に配設され、
前記画像処理装置は、前記カメラによって撮影された画像とともに、前記所定エリアに人物が居るとの判定結果を、運転席周辺に配設されたモニタに表示させる画像出力部も備えている、請求項１〜３のいずれか１つに記載の緊急停止装置が装備された塵芥収集車。
【発明の詳細な説明】
【技術分野】
【０００１】
本発明は、塵芥収集車の塵芥投入口近傍の作業者などを画像処理技術によって認識し、その人物が危険なエリアに居ると判定されたときに、塵芥積込装置の作動を停止させるための緊急停止装置に関するものである。
【背景技術】
【０００２】
従来より塵芥収集車においては、車台の後部に設けられた塵芥投入箱内に塵芥積込装置が装備されており、その塵芥投入箱内に塵芥投入口から投入される塵芥を回転板や積込板などによって掻き込んで、塵芥収容箱に積み込むようになっている。また、そうして塵芥投入口に塵芥を投入する作業者などが、不注意によって塵芥積込装置に巻き込まれることを防止するために、塵芥投入口の近傍の人物を監視する監視システムが種々、提案されている。
【０００３】
例えば特許文献１に記載の監視システムでは、塵芥投入箱の後方上部に撮像手段としてのカメラを配設して、下方の塵芥投入口およびその後方の所定エリアを撮影するようにしている。そして、塵芥積込装置の作動中に前記のカメラによって撮影した画像のデータを画像処理装置に送信し、この画像において予め設定されている進入禁止領域内に人物が侵入したと判定すれば、塵芥積込装置の制御装置に停止指令信号を送信する。
【先行技術文献】
【特許文献】
【０００４】
【特許文献１】特許第４２８３５６８号公報
【発明の概要】
【発明が解決しようとする課題】
【０００５】
前記従来例の監視システムにおいては、塵芥積込装置の制御装置と画像処理装置とが電気的な配線によって接続されており、画像処理装置からの停止指令信号を受けた塵芥積込装置の制御装置は、ＰＴＯ装置の電磁クラッチを遮断状態に切り替えるように制御する。ＰＴＯ装置は、エンジンの出力を取り出して塵芥積込装置の油圧ポンプを作動させるものであり、その電磁クラッチを遮断状態に切り替えれば、塵芥積込装置の作動を停止させることができる。
【０００６】
しかしながら、前記のような監視システムにおいては、仮に画像処理装置と制御装置との間の配線に何らかの不具合が生じていると、停止指令信号が制御装置に受信されないことがある。また、制御装置自体に何らかの異常が発生していることもあり、これらの場合にはＰＴＯ装置の電磁クラッチを適切に制御することができず、塵芥積込装置を停止させることができないおそれがある。
【０００７】
かかる点に着目して本発明の目的は、画像処理の判定結果に応じて塵芥積込装置の作動をより確実に停止させることにある。
【課題を解決するための手段】
【０００８】
本発明の人物認識装置は、塵芥収集車の塵芥投入口近傍をカメラによって撮影し、その画像のデータを入力した画像処理装置によって、前記塵芥投入口近傍の所定エリアに人物が居ると判定すれば、塵芥積込装置の作動を停止させるようにした塵芥収集車の緊急停止装置を前提とする。
【０００９】
そして、前記塵芥収集車には、塵芥積込装置の作動制御を行う制御装置が装備されて、前記塵芥積込装置が塵芥の積込作動をしているときに、所定の通電ラインによって通電されるとともに、当該通電が遮断されると塵芥積込装置を停止させるように構成されている。この場合に前記画像処理装置を前記通電ラインに介設するとともに、前記所定エリアに人物が居ると判定したときには制御装置への通電を遮断する通電遮断部を備えたものである。
【００１０】
このように構成された緊急停止装置では、制御装置によって塵芥積込装置を積込作動させているとき、その制御装置には通常は通電ラインによって通電されている。そして、画像処理装置によって塵芥投入口近傍の所定エリア（例えば特許文献１の進入禁止領域に相当）に人物が居ると判定されれば、前記通電ラインに介設されている画像処理装置の通電遮断部によって、前記制御装置への通電が遮断される。
【００１１】
こうして通電が遮断されることによって制御装置は、塵芥積込装置の作動を停止させる。特に制御装置の作動が停止するようにすれば、この制御装置自体に異常が発生していても、その影響を受けることなく、塵芥積込装置の作動を停止させることができる。また、画像処理装置を通電ラインに介設して、通電を遮断するようにしているので、画像処理装置と制御装置との間の配線の不具合が問題になることもない。よって、より確実に塵芥積込装置の作動を停止させることができる。
【００１２】
好ましくは、そのように通電を遮断する通電遮断部として、前記画像処理装置には、通電ラインに介設されたスイッチと、所定のエリアに人物が居ると判定したときに前記スイッチを開放して、通電を遮断する遮断制御部と、を設ければよい。また、前記通電ラインとしては、例えば塵芥積込装置の緊急停止ボタンのスイッチなどが介設されている通電ラインとすればよい。
【００１３】
すなわち、一般的に塵芥収集車には、車体後部の塵芥投入口近傍に緊急停止ボタンなどが配設され、その操作に応じて開閉されるスイッチが制御装置への通電ラインに介設されている。そこで、それらのスイッチが介設されている通電ラインに、前記のように画像処理装置を介設させることにより、制御系に元々、設けられている緊急停止用の通電ラインを利用して、緊急停止装置を構成できる。
【００１４】
見方を変えると本発明は、前記請求項１〜３のいずれか１つに記載の緊急停止装置が装備された塵芥収集車である。この場合に前記塵芥積込装置は、背面に前記塵芥投入口の開口する塵芥投入箱の内部に装備され、前記カメラは、塵芥投入口の上方において塵芥投入箱の背面に配設されている。そして、前記画像処理装置は、カメラによって撮影された画像とともに、所定エリアに人物が居るとの判定結果を、運転席周辺に配設されたモニタに表示させる画像出力部も備えている。
【００１５】
このような塵芥収集車では、上述したように緊急停止装置によって塵芥積込装置の作動をより確実に停止させることができる。また、既設のバックカメラを画像処理のためのカメラとして利用することができ、低コスト化が図られる。そして、そのバックカメラ用のモニタに画像処理の結果なども表示することにより、運転手には塵芥積込装置が緊急停止したことやその理由などを速やかに報知することができる。
【発明の効果】
【００１６】
本発明に係る塵芥収集車の緊急停止装置によれば、塵芥投入口近傍の所定エリアに人物が居るか否か判定する画像処理装置を、塵芥積込装置の制御装置への通電ラインに介設しており、その通電遮断部によって制御装置への通電を遮断するようにしている。よって、画像処理装置と制御装置との間の配線の不具合が問題になることはなく、また、制御装置自体に異常が発生していても、その影響を受けることなく、より確実に塵芥積込装置の作動を停止させることができる。
【図面の簡単な説明】
【００１７】
【図１】本発明の実施形態に係る塵芥収集車を示す側面図である。
【図２】図１の塵芥収集車に装備された塵芥積込装置の作動の説明図である。
【図３】図１の塵芥収集車の塵芥積込装置の油圧回路図である。
【図４】図１の塵芥収集車の制御装置とその入出力状態を示す概略図である。
【図５】図１の塵芥収集車に装備された人物認識装置の概略構成を示す説明図である。
【図６】画像処理ルーチンの一例を示すフローチャートである。
【図７】カメラによって撮影された画像の一例を示す説明図である。
【図８】緊急停止装置の他の形態を示す図４相当図である。
【図９】緊急停止装置の他の形態を示す図４相当図である。
【発明を実施するための形態】
【００１８】
以下、本発明を回転式の塵芥収集車に適用した実施形態について、図面を参照して説明する。なお、以下の説明においては便宜上、塵芥収集車の前後左右を単に前後左右と呼ぶこともある。
【００１９】
図１には、本発明の実施形態に係る緊急停止装置を装備した塵芥収集車１００を示し、その車台１上には塵芥収容箱２と塵芥投入箱３とが設けられていて、塵芥収容箱２の後方の開口部と塵芥投入箱３の前面の開口部とが連通されている。また、塵芥投入箱３は、その上部に設けられた左右方向の枢軸３ａによって軸支されており、図示しないが、左右一対の傾動シリンダによって傾動されるようになっている。
【００２０】
また、前記塵芥投入箱３の背面における下寄りの部位には、塵芥を投入するための矩形状の塵芥投入口４（図７も参照）が開口され、昇降可能なテールゲート５によって開閉されるようになっている。この塵芥投入口４の左側方には、塵芥積込装置の作動などの操作のためのスイッチボックス６が設けられており、また、塵芥投入口４の上方には、詳しくは後述するが、塵芥投入口４の近傍を撮影するようにカメラ７が配設されている。
【００２１】
図２に拡大して示すように塵芥投入箱３の内部には、投入された塵芥を塵芥収容箱２に積み込む塵芥積込装置が装備されている。本実施形態の塵芥積込装置は、回転板１０の回転によって塵芥を掻き上げるとともに、押込板２０によって塵芥収容箱２内へと押し込む、いわゆる回転式のものである。すなわち、まず、塵芥投入箱３内の下部においてその幅方向に延びるように回転軸１１が架設され、これに回転板１０の基端側が固定されている。
【００２２】
図示の例では前記回転軸１１の端部に減速機構１２を介して正逆回転可能な油圧モータ１３が連結されている。よって、油圧モータ１３の回転は減速機構１２によりトルクアップされて回転軸１１に伝達され、この回転軸１１と一体に回転板１０が回転されることで、その先端部は、断面略半円弧状に形成された塵芥投入箱３の底壁に沿って前後方向に移動するようになる。
【００２３】
一方、押込板２０は、前記回転板１０の上方において塵芥投入箱３の幅方向全体に亘って設けられ、その上部に設けられた左右方向の揺動軸２１の周りに前後方向に揺動自在に支持されている。また、押込板２０には、揺動軸２１よりも上方に延びる延設部２２が設けられ、この延設部２２とその前方の支持ピン２３との間に押込シリンダ２４が架設されており、その伸縮作動によって押込板２０を前後方向に揺動させるようになっている。
【００２４】
すなわち、図２に実線で示すように押込板２０が塵芥収容箱２の側に最も揺動した位置（前進限界位置）にあるときは、この押込板２０に干渉することなく回転板１０が上方に回動するようになり、これに遅れて押込板２０が塵芥投入口４側へ揺動する。そして、押込板２０が塵芥投入口４側に最も揺動し、図２には仮想線で示す後退限界位置に達した後も、回転板１０の回動は継続される。
【００２５】
こうして回転する回転板１０は、塵芥を塵芥収容箱２側に掻き込んで、図２に実線で示すように前方の塵芥収容箱２側に延びる設定停止位置に一旦、停止する。そうすると今度は押込板２０が塵芥収容箱２側に揺動して、回転板１０上の塵芥を塵芥収容箱２に押し込んでゆく。そして、押込板２０が再び前記の前進限界位置に達すれば、再び回転板１０が上方へ回動するようになる。
【００２６】
このように互いに同期して回転板１０の回転および押込板２０の揺動が繰り返されることによって、塵芥投入箱３に投入された塵芥が連続的に塵芥収容箱２に積み込まれる（以下、塵芥積込作動と呼ぶ）。そのように回転板１０および押込板２０を作動させるための油圧回路および電子制御装置（制御系）の構成については以下に述べるが、そのために塵芥投入箱３の内部には、回転板１０および押込板２０の位置を検出するためのスイッチＬＳ１〜ＬＳ５が設けられている。
【００２７】
すなわち、図２に表れているように、押込板２０が前進限界位置または後退限界位置にあるときにそれぞれオンになるスイッチＬＳ１，ＬＳ２と、回転板１０が設定停止位置にあるときにオンになるスイッチＬＳ３と、その設定停止位置から回転板１０が正の向き（図１の時計回り）に所定角度回転したときにオンになるスイッチＬＳ４と、さらに所定角度回転したときにオンになるスイッチＬＳ５とが設けられている。
【００２８】
なお、スイッチＬＳ１，ＬＳ２は、押込板２０の揺動軸２１の端部に設けられた図示省略のドグを検出するようになっており、スイッチＬＳ３〜ＬＳ５は、回転板１０の回転軸１１の端部に設けられた図示省略のドグを検出するようになっている。また、これらのスイッチＬＳ１〜ＬＳ５としては例えば光電スイッチ、近接スイッチなどを使用することができる。
【００２９】
前記のスイッチＬＳ４，ＬＳ５は、図２にハッチングを入れて示すように、回転板１０が塵芥投入口４の前縁部４ａの真下から、その後方へ回転しつつ下降して塵芥投入口４の後縁部４ｂに最も近接するまでの角度範囲Ｚを検出するものである。この角度範囲Ｚにおいては回転板１０が作業者の体の一部を巻き込む危険性があるので、以下では危険な角度範囲Ｚと呼ぶ。
【００３０】
さらに、図１、２に表れているように塵芥投入口４の近傍には、塵芥積込装置の作動を停止させるための緊急停止ボタン６０，６１や緊急停止プレート６２などが配設されている。図１に表れているように塵芥投入口４の左側のスイッチボックス６に緊急停止ボタン６０が配設され、また、図２に破線で示すように塵芥投入口４の右側に緊急停止ボタン６１が配設されている。緊急停止プレート６２は、塵芥投入口４の下方においてスイッチＳＷ３をオンオフするように配設されている。
【００３１】
−塵芥積込装置の制御系−
次に、図３および図４を参照して、前記のように塵芥積込装置を作動させるための制御系について説明する。この制御系は、塵芥積込装置の油圧モータ１３や押込シリンダ２４などに供給する油圧を制御する油圧回路と、この油圧回路に設けられた電磁制御弁Ｖ１，Ｖ２に制御信号を出力する制御装置ＰＬＣ（プログラマブル  ロジック  コントローラ）と、を備えている。
【００３２】
まず、図３を参照して油圧回路について説明すると、この油圧回路は、油圧ポンプＰと、オイルリザーバＴと、押込シリンダ２４を制御するための電磁制御弁Ｖ１と、油圧モータ１３を制御するための電磁制御弁Ｖ２と、を備えている。なお、油圧ポンプＰには、図示しないが、エンジンの駆動力がＰＴＯ（パワー  テイク  オフ）を介して伝達されるようになっている。
【００３３】
一例として電磁制御弁Ｖ１，Ｖ２は、いずれも６ポート３位置の電磁式の方向切換弁からなる。電磁制御弁Ｖ１は、制御装置ＰＬＣによりソレノイドＳＯＬａが励磁されると第１連通位置（図の上位置）に切り換わって、油圧ポンプＰからの作動油を一対の押込シリンダ２４のロッド側油室に供給する一方、制御装置ＰＬＣによりソレノイドＳＯＬｂが励磁されると第２連通位置（図の下位置）に切り換わって、作動油をヘッド側油室に供給する。
【００３４】
そうして電磁制御弁Ｖ１から作動油がヘッド側油室に供給されると、一対の押込シリンダ２４が伸長作動して押込板２０を前方に揺動させる。一方、作動油がロッド側油室に供給されると、一対の押込シリンダ２４は収縮作動して、押込板２０を後方に揺動させる。また、いずれのソレノイドＳＯＬａ，ＳＯＬｂも励磁されていないときに、電磁制御弁Ｖ１は中立位置（図の中央位置）に復帰するようになる。
【００３５】
一方、電磁制御弁Ｖ２は、制御装置ＰＬＣによりソレノイドＳＯＬｃが励磁されると第１連通位置（図の下位置）に切り換わって、作動油を油圧モータ１３の正転側油室に供給し、当該油圧モータ１３を正転作動させる。一方、制御装置ＰＬＣによりソレノイドＳＯＬｄが励磁されると電磁制御弁Ｖ２は第２連通位置（図の上位置）に切り換わって、作動油を油圧モータ１３の逆転側油室に供給し、当該油圧モータ１３を逆転作動させる。
【００３６】
また、いずれのソレノイドＳＯＬｃ，ＳＯＬｄも励磁されていないときに、電磁制御弁Ｖ２は中立位置（図の中央位置）に復帰するようになる。電磁制御弁Ｖ１，Ｖ２の両方が中立位置にあるとき、作動油はオイルリザーバＴへ還流するようになる。なお、図示の油圧回路において符号Ｖ３はチェック弁であり、また、符号Ｖ４は、油圧ポンプＰの吐出圧の上限を設定するためのリリーフ弁である。
【００３７】
次に、図４を参照して制御装置ＰＬＣにおける信号の入出力状態について説明する。まず、制御装置ＰＬＣへの電力供給は図の左上に示すバッテリＢＴによって行われるものである。このバッテリＢＴと図の右側のグランドラインＫ１との間に、図の最上部を左右に延びるように通電ラインＫ２が接続されていて、ここには、塵芥収集車１００のキースイッチＳＷＫ、ＰＴＯスイッチＳＷＰ、リレーコイルＣＲ１などが介設されている。
【００３８】
また、前記キースイッチＳＷＫおよびバッテリＢＴの中間において通電ラインＫ２から分岐するように、通電ラインＫ３の上流端が接続されており、この通電ラインＫ３を介して制御装置ＰＬＣの信号用電力供給部（図示せず）に電力が供給されるようになっている。すなわち、通電ラインＫ３の上流側（バッテリＢＴに近い側）には前記リレーコイルＣＲ１の接点ｃｒ１が介設されており、リレーコイルＣＲ１がオンになると接点ｃｒ１が閉じられて、通電ラインＫ３に通電するようになる。
【００３９】
この通電ラインＫ３は、塵芥積込装置の塵芥積込作動中には必ず通電されるものであって、図２を参照して上述した緊急停止ボタン６０，６１および緊急停止プレート６２の操作に対応して開閉されるスイッチＳＷ１〜ＳＷ３が介設されている。これらのスイッチＳＷ１〜ＳＷ３によって通電が遮断されると、制御装置ＰＬＣの作動が停止されることによって塵芥積込装置の作動が停止される。
【００４０】
すなわち、通電が遮断されることによって制御装置ＰＬＣの作動が停止すると、電磁制御弁Ｖ１，Ｖ２のソレノイドＳＯＬａ〜ＳＯＬｄを励磁させるための制御装置ＰＬＣからの制御信号の出力が全て途絶えて、電磁制御弁Ｖ１，Ｖ２が中立位置に復帰するようになり、これにより塵芥積込装置の作動が停止されるのである。そして、詳しくは後述するが通電ラインＫ３には画像処理ユニット８も介設されている。
【００４１】
さらに、図４の左側に表れているように、前記の接点ｃｒ１よりも下流側（バッテリＢＴから遠い側）で通電ラインＫ３から分岐するように複数の分岐ラインの上流端が接続されており、これらの分岐ラインのそれぞれに図２を参照して上述したスイッチＬＳ１〜ＬＳ５が介設されている。これらのスイッチＬＳ１〜ＬＳ５からの信号に基づいて、塵芥積込装置の回転板１０および押込板２０の位置、即ち作動状況が検出される。
【００４２】
なお、前記のスイッチＬＳ１〜ＬＳ５の他に制御装置ＰＬＣへの入力側には、図示はしないが塵芥積込装置の始動および停止スイッチ、塵芥積込作動の単動または連続の選択スイッチ、塵芥積込作動および塵芥排出作動の選択スイッチ、回転板１０や押込板２０を単独で作動させるスイッチ、塵芥投入箱３を傾動させて開放するスイッチなども接続されている。
【００４３】
前記のように各種スイッチが入力側に接続されている一方、制御装置ＰＬＣの出力側（図４の右側）には、電磁制御弁Ｖ１，Ｖ２のソレノイドＳＯＬａ〜ＳＯＬｄなどが接続されている。そして、制御装置ＰＬＣは、スイッチＳＷ１〜ＳＷ３，ＬＳ１〜ＬＳ５などから入力する信号に基づいて、予め設定された手順に従い油圧モータ１３や押込シリンダ２４などを作動させるべく、対応するソレノイドＳＯＬａ〜ＳＯＬｄに出力するようにプログラムされている。
【００４４】
すなわち、例えば塵芥積込装置が塵芥積込作動するときには、通電ラインＫ２上のキースイッチＳＷＫおよびＰＴＯスイッチＳＷＰがいずれも閉じられて、リレーコイルＣＲ１に通電される。これにより、リレーコイルＣＲ１の接点ｃｒ１が閉じられるので、通電ラインＫ３によって通電されることにより、制御装置ＰＬＣが作動可能な状態になって適宜、ソレノイドＳＯＬａ〜ＳＯＬｄに制御信号を出力するようになる。
【００４５】
この制御信号を受けてソレノイドＳＯＬａ〜ＳＯＬｄが励磁され、電磁制御弁Ｖ１，Ｖ２の位置が適宜、切り換えられることで、油圧モータ１３や押込シリンダ２４などに作動油圧が供給される。これにより、油圧モータ１３や押込シリンダ２４などがそれぞれ作動し、図２を参照して上述したように、回転板１０の回転および押込板２０の揺動が互いに同期して繰り返されることになる。
【００４６】
詳しくは、まず図２に実線で示すように押込板２０が前進限界位置にあって、スイッチＬＳ１からオン信号が出力されるとともに、回転板１０が設定停止位置にあって、スイッチＬＳ３からもオン信号が出力されるときに、これらの信号を受けた制御装置ＰＬＣから制御信号が出力され、電磁制御弁Ｖ２が第１連通位置に切り換えられて、油圧モータ１３が正転作動を開始する。これにより、回転板１０は上方に回動し始める。
【００４７】
そして、所定の期間が経過すると制御装置ＰＬＣから電磁制御弁Ｖ１のソレノイドＳＯＬａへ制御信号が出力されて、電磁制御弁Ｖ１が第１連通位置に切り換えられ、押込シリンダ２４が収縮作動を開始する。これにより押込板２０は後方の塵芥投入口４側へ揺動するようになり、この押込板２０が後退限界位置に達すると、スイッチＬＳ２からオン信号が出力される。
【００４８】
これを受けて制御装置ＰＬＣがソレノイドＳＯＬａへの制御信号の出力を停止することで、電磁制御弁Ｖ１が中立位置に復帰し、押込板２０の揺動が停止する。また、そうして押込板２０が揺動している間も回転板１０の回動は継続しており、塵芥を塵芥収容箱２側に掻き込んでゆくが、こうして回動する押込板２０が設定停止位置に至り、スイッチＬＳ３からオン信号が出力される。
【００４９】
これを受けて制御装置ＰＬＣが、電磁制御弁Ｖ２のソレノイドＳＯＬｃへの制御信号の出力を停止することで、電磁制御弁Ｖ２が中立位置に復帰し、油圧モータ１３の回動が停止する。また、制御装置ＰＬＣは、電磁制御弁Ｖ１のソレノイドＳＯＬｂへ制御信号を出力し、電磁制御弁Ｖ１が第２連通位置に切り換えられて、押込シリンダ２４が伸長作動を開始することで、押込板２０が前方へ揺動し始める。
【００５０】
こうして前方の塵芥収容箱２側に揺動する押込板２０が、回転板１０上の塵芥を塵芥収容箱２に押し込んでゆき、前進限界位置に達すれば、スイッチＬＳ１からオン信号が出力される。これを受けて制御装置ＰＬＣがソレノイドＳＯＬｂへの制御信号の出力を停止することで、電磁制御弁Ｖ１が中立位置に復帰し、押込シリンダ２４の伸長作動、即ち、押込板２０の前方への揺動が停止することになる。
【００５１】
−人物認識装置および緊急停止装置−
ところで、前記のように塵芥積込装置が塵芥積込作動をしているときには、塵芥投入口４に塵芥を投入している作業者が不注意から回転板１０などに巻き込まれるおそれがある。そこで、本実施形態の塵芥収集車１００においては、塵芥投入口４の近傍を撮影するようにカメラ７を配設し、画像処理によって塵芥投入口４近傍の危険なエリアに人物が居ると判定すれば、直ちに塵芥積込装置の作動を停止させるようにしている。
【００５２】
すなわち、前記の図１、２に表れている他、図５にも示すように、塵芥投入箱３の背面の上部、即ち塵芥投入口４の上方にはカメラ７が配設され、その撮像レンズ７０が下方の塵芥投入口４近傍に向けられている。このカメラ７によって撮影された画像のデータは、画像処理ユニット８（画像処理装置であり、例えば図１に破線で示すように運転席周辺に配設されている）に送信され、塵芥投入口４の前縁部４ａおよび後縁部４ｂの間の危険なエリア（図５にハッチングを入れて示す）に人物Ｈが居るか否かの判定が行われる。
【００５３】
上述したように塵芥積込装置の積込作動時にはキースイッチＳＷＫおよびＰＴＯスイッチＳＷＰがいずれも閉じられており、通電ラインＫ３によって制御装置ＰＬＣに通電されている。そして、図４に表れているように通電ラインＫ３の途中に画像処理ユニット８が介設されており、前記のように画像データに基づいて危険なエリアに人物Ｈが居ると判定すれば、制御装置ＰＬＣへの通電を遮断するようになっている。
【００５４】
以下に、まず、画像処理による人物認識の手法について説明すると、図５に模式的に示すように画像処理ユニット８には、所定のプログラムを実行して各種の制御を行う中央処理部ＣＰＵ、カメラ７からの画像データを入力して、以下のような公知の画像処理を行う画像処理部ＤＳＰ、それら中央処理部ＣＰＵや画像処理部ＤＳＰにおいて使用されるデータを記憶するメモリＭ、中央処理部ＣＰＵの指令を受けて開閉されるリレースイッチＳＷ４などが設けられている。
【００５５】
なお、前記のカメラ７としては、運転者が後方を監視するためのバックカメラを利用しており、図示はしないが運転席周辺には、カメラ７によって撮影された画像を表示するモニタが配設されている。そして、画像処理ユニット８には、前記の画像とともに画像処理の結果などもモニタに表示させる画像出力部ＶＯＰ（ビデオ  アウトプット）が設けられている。また、図示はしないが画像処理ユニット８には、種々のデータを一時記憶するバッファ、中央処理部ＣＰＵの指令を受けてカメラ７の制御を行うカメラ制御回路なども設けられている。
【００５６】
−画像処理のルーチン−
前記の画像処理部ＤＳＰは、公知の画像処理ロジックを高速で行う一般的な集積回路であり、例えば入力画像データの二値化処理と、この二値化された画像データにおいて互いに近接する各画素について領域化するラベリング処理と、ラベリングにより領域化された物体像の領域が人物像であることを識別する人物識別処理と、人物像と識別された物体像の位置が危険なエリアか否か判定する人物位置判定処理とを行う。
【００５７】
具体的に、図６のフローチャートを参照して画像処理のルーチンについて説明すると、まず、スタート後のステップＳ１において二値化処理が行われる。これは例えば、入力画像データについて各画素毎の輝度値が予め設定された閾値以上である場合に最大輝度値とし、閾値未満であれば最小輝度値とする処理である。生成される二値化画像データは、ノイズや光量変化の影響の多くが除去されたものとなる。
【００５８】
次にステップＳ２ではラベリング処理が行われる。これは、前記の二値化画像データにおいて互いに近接する各画素を領域化するものであり、例えば同じ輝度値に属するとともに、所定距離内で密接する複数の画素について１つの領域と見なす処理である。ラベリング処理は画像平面全体について行われ、これにより１つの領域とされたものが、それぞれ物体像として認識される。
【００５９】
そして、続くステップＳ３〜Ｓ５において、前記それぞれの物体像についての人物識別処理が行われる。本実施形態では、図５を参照して上述したように塵芥投入口４の上方にカメラ７を配設し、下方の塵芥投入口４近傍を撮影するようにしている。このため、その画像には、図７に一例を示すように人物Ｈの頭部が大きく表示されるとともに、上方から見た顔の一部も表示されることになる。つまり、画像データには人物Ｈの顔の情報も含まれている。
【００６０】
そこで、まずステップＳ３では、予め設定されている頭部（顔も含む）の特徴データ、即ち例えば頭部の大きさや形状、頭髪の状態などを示すデータを参照し、この特徴データの条件を満たすような物体像を、仮に人物Ｈの頭部と判定する。なお、特徴データについては予め多くの人物の頭部（顔も含む）の画像を撮影して、その大きさや形状などの特徴を抽出したものであって、画像処理ユニット８のメモリＭに格納されている。
【００６１】
そうして「仮に頭部」と判定した物体像について、それ以外の物体像と識別する処理をステップＳ４，Ｓ５で行う。まず、ステップＳ４では、カメラ７から時系列に入力される複数の画像データの差分処理（各画素毎の輝度値の差を求める処理）によって、物体像の位置の変化を検出する。そして、この位置の変化、即ち物体像の移動距離を、それに要した時間（画像データを取得する時間間隔）で除算して、物体像の移動速度を算出する。
【００６２】
そして、算出した移動速度が予め設定した閾値以下であるか否か、ステップＳ５において判定する。この閾値は、塵芥投入口４に塵芥を投入する作業者の頭部の移動速度と、投入される塵芥の移動速度とを区別できるように、予め実験などによって設定されている。よって、算出した移動速度が閾値よりも高ければ、動作が速すぎるので人物Ｈの頭部ではないと識別し、否定判定して（ＮＯ）ルーチンを終了する（エンド）。
【００６３】
一方、前記ステップＳ５において移動速度が閾値以下であると肯定判定すれば（ＹＥＳ）、物体像は人物Ｈの頭部であると識別してステップＳ６に進み、この物体像が予め設定されている危険なエリアに入っているか否か判定する。これは、物体像を形成する領域の外形をなす画素の位置座標が危険なエリアの境界線Ｂ（塵芥投入口４の後縁部４ｂ）よりも前方にあるか否かによって判定できる。
【００６４】
よって、人物Ｈの頭部と識別した物体像が危険なエリアに入っていると肯定判定すれば（ＹＥＳ）、ステップＳ７に進んで塵芥積込装置の作動を停止させるべく、中央処理部ＣＰＵへ停止信号を出力し、画像処理ルーチンを終了する（エンド）。一方、物体像が危険なエリアに入っていないと否定判定すれば（ＮＯ）、停止信号は出力せずに画像処理ルーチンを終了する（エンド）。
【００６５】
そうして画像処理部ＤＳＰから停止信号が発せられると、これを受けた中央処理部ＣＰＵはリレースイッチＳＷ４を開放させる。すなわち、図示しないリレーコイルに通電してスイッチの接点を開くことにより、通電ラインＫ３による制御装置ＰＬＣへの通電を遮断する。これにより制御装置ＰＬＣの作動が強制的に停止されるので、仮に制御装置ＰＬＣに何らかの異常があっても、電磁制御弁Ｖ１，Ｖ２の全てのソレノイドＳＯＬａ〜ＳＯＬｄへの通電が停止されることになる。
【００６６】
よって、第１連通位置または第２連通位置にある電磁制御弁Ｖ１，Ｖ２が全て中立位置に復帰するようになり、その結果、直ちに油圧モータ１３および押込シリンダ２４の作動が停止される。このように本実施形態では、画像処理ユニット８の中央処理部ＣＰＵと、リレースイッチＳＷ４とによって、塵芥積込装置の作動を停止させる緊急停止装置が構成されており、中央処理部ＣＰＵは、危険なエリアに人物Ｈが居ると判定されたときにリレースイッチＳＷ４を開放する遮断制御部に相当する。
【００６７】
以上、説明したように本実施形態に係る塵芥収集車の緊急停止装置によると、塵芥投入口４の近傍を撮影するカメラ７からの画像データを画像処理ユニット８に入力し、危険なエリアに人物Ｈが居ると判定すれば、塵芥積込装置の作動を停止させるようにしている。そのために画像処理ユニット８自体を制御装置ＰＬＣへの通電ラインＫ３に介設し、塵芥積込装置の作動を停止させるときには、画像処理ユニット８に備えたリレースイッチＳＷ４を開放して、通電を遮断する。
【００６８】
こうして通電を遮断することによって制御装置ＰＬＣの作動が停止するので、この制御装置ＰＬＣ自体に何らかの異常が発生していても、その影響を受けることはない。また、画像処理ユニット８自体を通電ラインＫ３に介設しているので、例えば特許文献１に記載の従来例のように、画像処理ユニット８と制御装置ＰＬＣとの間の配線の不具合が問題になることもない。よって、より確実に塵芥積込装置を停止させることができる。
【００６９】
しかも、そうして画像処理ユニット８を介設する通電ラインＫ３には元々、緊急停止ボタン６０，６１や緊急停止プレート６２の操作に対応するスイッチＳＷ１〜ＳＷ３が介設されており、これを利用して緊急停止装置の構成を簡略化できる。加えて本実施形態では既設のバックカメラを画像処理用のカメラ７として利用することで、低コスト化が図られており、そのバックカメラ用のモニタに画像処理の結果なども表示することで、運転手には塵芥積込装置の緊急停止やその理由などを速やかに報知することができる。
【００７０】
−その他の実施形態−
以上、本発明の好適な実施形態について説明したが、これは１つの具体例を示したに過ぎず、特に本発明を限定するものではなく、具体的構成等は適宜、設計変更可能である。すなわち、前記実施形態では、画像処理ユニット８において画像処理部ＤＳＰからの停止信号を受けたとき、中央処理部ＣＰＵによってリレースイッチＳＷ４を開放させて、塵芥積込装置の作動を停止させるようにしているが、これには限定されない。
【００７１】
例えば、塵芥積込装置の回転板１０の作動状態を検出するためのリミットスイッチＬＳ４，ＬＳ５からの信号を、制御装置ＰＬＣだけでなく画像処理ユニット８にも入力するように構成しておき、回転板１０が危険な角度範囲Ｚ（図２を参照）にあり、且つ人物Ｈの頭部が危険なエリアに入っているときに、リレースイッチＳＷ４を開放させるようにしてもよい。
【００７２】
すなわち、塵芥積込装置の作動中であっても、回転板１０が危険な角度範囲Ｚ以外を回動しているときには、これによって作業者の体の一部が巻き込まれるおそれはないので、このときには人物Ｈが危険なエリアに居ても、塵芥積込装置の作動は停止させない。こうすれば、塵芥積込装置の不要な作動停止の頻度を低下させることができ、利便性の向上が図られる。
【００７３】
また、図４に表れているように前記実施形態では、通電ラインＫ３において接点ｃｒ１よりも下流側から画像処理ユニット８への電力供給を行っている。このため、通電ラインＫ２に介設されたキースイッチＳＷＫおよびＰＴＯスイッチＳＷＰが閉じられ、リレーコイルＣＲ１がオンになっているときに、画像処理ユニット８が作動するようになるが、これにも限定されない。
【００７４】
例えば図８に一例を示すように画像処理ユニット８への電力供給は、接点ｃｒ１よりも上流側から行うようにしてもよい。こうすれば、キースイッチＳＷＫおよびＰＴＯスイッチＳＷＰが閉じられていないときでも、画像処理ユニット８が作動するようになる。つまり、塵芥収集車１００の運転者は、キースイッチＳＷＫをオン操作していなくてもカメラ７の映像によって後方を監視することができる。
【００７５】
さらに、前記実施形態のように制御装置ＰＬＣの信号用電力供給部への通電ラインＫ３に、画像処理ユニット８を介設する構成にも限定されない。例えば図９に示すように切替スイッチＳＷＳが積込側に切り替えられているときに通電される通電ラインＫ４に、緊急停止用のスイッチＳＷ１〜ＳＷ３などが介設されている場合は、この通電ラインＫ４に画像処理ユニット８を介設してもよい。
【００７６】
こうすれば、画像処理ユニット８において、中央処理部ＣＰＵによりリレースイッチＳＷ４が開放されることで、通電ラインＫ４による制御装置ＰＬＣへの通電が遮断される。これにより制御装置ＰＬＣが電磁制御弁Ｖ１，Ｖ２のソレノイドＳＯＬａ〜ＳＯＬｄへの制御信号の出力を停止することで、電磁制御弁Ｖ１，Ｖ２が中立位置に復帰し、回転板１０および押込板２０の作動が停止されるようになる。
【００７７】
このように制御装置ＰＬＣの作動を停止することなく、塵芥積込装置の作動を停止させるようにすれば、その後に塵芥積込装置を再び作動させたり、通常作動に復帰させたりするのが容易になる。制御装置ＰＬＣ自体に異常が発生している場合は、その影響を受けることになるが、画像処理ユニット８と制御装置ＰＬＣとの間の配線の不具合が問題になることはない。
【００７８】
さらにまた、前記実施形態では、いわゆる回転式の塵芥収集車１００に本発明を適用した場合について説明しており、塵芥積込装置の主要部は回転板１０および押込板２０により構成されているが、これにも限定されず、塵芥積込装置の主要部は昇降板および押込板によって構成されていてもよく、その構造を特に限定するものではない。
【符号の説明】
【００７９】
１００        塵芥収集車
１            車台
２            塵芥収容箱
３            塵芥投入箱
４            塵芥投入口
７            カメラ
８            画像処理ユニット（画像処理装置）
１０          回転板（塵芥積込装置）
１３          油圧モータ（塵芥積込装置）
２０          押込板（塵芥積込装置）
２４          押込シリンダ（塵芥積込装置）
６０，６１    緊急停止ボタン
６２          緊急停止プレート
ＣＰＵ        画像処理ユニットの中央処理部（遮断制御部：通電遮断部）
Ｋ３，Ｋ４    所定の通電ライン
ＰＬＣ        塵芥積込装置の制御装置
ＳＷ１〜ＳＷ３    緊急停止ボタンなどの操作に応じて開閉されるスイッチ
ＳＷ４        画像処理ユニットのリレースイッチ（通電ラインに介設されたスイッチ：通電遮断部）
ＶＯＰ        画像処理ユニットの画像出力部
【図１】
2018154463.tif 000003
【図２】
2018154463.tif 000004
【図３】
2018154463.tif 000005
【図４】
2018154463.tif 000006
【図５】
2018154463.tif 000007
【図６】
2018154463.tif 000008
【図７】
2018154463.tif 000009
【図８】
2018154463.tif 000010
【図９】
2018154463.tif 000011